(57)【要約】【課題】布地が例え長状物であっても装置が大型化することなく、スチームを布地の全面に亘って均一に所要時間付与することができる蒸し機を提供すること。【解決手段】本発明の布地用蒸し機１は、布地４にスチームを付与する蒸し機１であって、該蒸し機１はスチームが導入される密閉蒸気室１６を備え、前記布地４を芯材９に巻き付けた状態で、前記密閉蒸気室１６に投入して均一なスチームを付与することができる。【選択図】　　図２
2004124286.tif 000002
【特許請求の範囲】
【請求項１】
布地にスチームを付与する蒸し機であって、該蒸し機はスチームが導入される密閉蒸気室を備え、前記布地を芯材に巻き付けた状態で、前記密閉蒸気室に投入することを特徴とする布地用蒸し機。
【請求項２】
前記芯材は円筒体で構成され、該円筒体中心より円筒体外表面にスチームが流通できる複数の小孔が形成されている請求項１に記載の着色した布地用蒸し機。
【請求項３】
前記円筒体が網目状金属体で構成されている請求項２に記載の着色した布地用蒸し機。
【請求項４】
布地にスチームを付与する蒸し機であって、該蒸し機はスチームが導入される密閉蒸気室を備え、前記布地を巻き付けたものをスチームの出入りが可能な流通孔が形成された円筒状蒸しケースに収納した上で前記密閉蒸気室に投入することを特徴とする布地用蒸し機。
【請求項５】
前記布地はスチームが流通可能なシート体と重ねて巻き付ける請求項１ないし４のいずれかに記載の布地用蒸し機。
【請求項６】
前記スチームは圧力、温度を任意に設定して前記密閉蒸気室に導入される請求項１ないし５のいずれかに記載の布地用蒸し機。
【請求項７】
前記スチームを高圧、高温度に設定して前記密閉蒸気室に導入する請求項６に記載の布地用蒸し機。
【発明の詳細な説明】
【０００１】
【発明の属する技術分野】
本発明は、布地にスチームを付与する蒸し機に関する。
【０００２】
【従来の技術】
従来、布地にスチームを付与する蒸し機は、例えば染料等で着色した布地の色固定に用いられたり、熱可塑性の形状記憶布のシワ加工、或いは、布に弾力を持たせたり軟らかくして風合いを醸し出すために用いられている。そして布地にスチームを付与するには、一般に、複数段装架したローラに布地を案内走行させながらスチームを付与していた（特許文献１参照）。
【０００３】
【特許文献１】
特開平２００１−３２１８１号公報（段落００２１、図１）
【０００４】
【発明が解決しようとする課題】
しかしながら、従来の蒸し機は、布地の全面に亘ってスチームを所要時間均一に付与するためには、長い距離に亘って布地をジグザク走行させなければならず、そのためにはスチームを与える蒸気室は大型に構築し、数多くの案内ローラを配備しなければならないという問題を有していた。また、蒸気室は大型になると一定の圧力と温度を維持した均一のスチームを布地に均等に付与することが困難となり、染料の色固定が不均一となったり、風合いの乱れが生じたりする恐れがあった。
【０００５】
本発明は、このような問題点に着目してなされたもので、布地が例え長状物であっても装置が大型化することなく、スチームを布地の全面に亘って均一に所要時間付与することができる、蒸し機を提供することを目的とする。
【０００６】
【課題を解決するための手段】
上記課題を解決するために、本発明の布地用蒸し機は、布地にスチームを付与する蒸し機であって、該蒸し機はスチームが導入される密閉蒸気室を備え、前記布地を芯材に巻き付けた状態で、前記密閉蒸気室に投入することを特徴としている。
この特徴によれば、布地を走行させずに芯材に巻き付けた状態で密閉蒸気室内に投入するだけであるから、密閉蒸気室が所定の収納容積を有していれば、例え布地が長状物であっても装置が大型化することなく、布地の全面に亘ってスチームを均一に所要時間付与することができるばかりでなく、蒸し工程の初期の段階から所要の圧力、温度のスチームを供給できる。
【０００７】
本発明の布地用蒸し機において、前記芯材は円筒体で構成され、該円筒体中心より円筒体外表面にスチームが流通できる複数の小孔が形成されていることが好ましい。
このようにすれば、芯材に巻き付けられた布地が巻き付け中心部より外方に拡散できるので、より均一なスチームを付与することができる。
【０００８】
本発明の布地用蒸し機において、前記円筒体が網目状金属体で構成されていることが好ましい。
このようにすれば、長期使用に耐え、堅牢で製作が容易な円筒体を得ることができる。
【０００９】
本発明の布地用蒸し機において、布地にスチームを付与する蒸し機であって、該蒸し機はスチームが導入される密閉蒸気室を備え、前記布地を巻き付けたものをスチームの出入りが可能な流通孔が形成された円筒状蒸しケースに収納した上で前記密閉蒸気室に投入することを特徴としている。
この特徴によれば、例え布地が長状物であっても装置が大型化することなく、布地の全面に亘ってスチームを均一に所要時間付与することができるばかりでなく、蒸し工程の初期の段階から所要の圧力、温度のスチームを供給できる。また、巻き付けた布地の外径が大きくなっても、直接密閉蒸気室と接触することがないので，斑のないスチームの付与ができる。
【００１０】
本発明の布地用蒸し機において、前記布地はスチームが流通可能なシート体と重ねて巻き付けることが好ましい。
このようにすれば、布地同士が密着せず、布地間にスチームが侵入しやすいので、全面に亘ってより均一なスチームを付与することができる。
【００１１】
本発明の布地用蒸し機において、前記スチームは圧力、温度を任意に設定して前記密閉蒸気室に導入されることが好ましい。
このようにすれば、布地が天然繊維でも化学繊維でも繊維の種類に応じて最適なスチーム状態を提供できる。
【００１２】
本発明の布地用蒸し機において、前記スチームを高圧、高温度に設定して前記密閉蒸気室に導入することが好ましい。
このようにすれば、スチームを高圧、高温度に設定すれば高濃度のスチームを供給できるので、特に染料等の色固定において色むらが起こらない。
【００１３】
【発明の実施形態】
以下、本発明の実施例を図面に基づいて説明する。
【００１４】
図１は、本発明の第１実施形態としての布地用蒸し機と該蒸し機に接続されている蒸気供給機の全体像を示す斜視図、図２は、円筒容器の部分側断面を含む蒸し機の正面図、図３は、芯材を示す斜視図である。
【００１５】
図１〜図３により本発明の第１実施形態に係る布地用蒸し機の構成について説明する。図１に示されるように、１は布地用蒸し機を示し、２は布地用蒸し機１とは分離して用意されたボイラーを内蔵した蒸気供給機を示し、この布地用蒸し機１と蒸気供給機２の間には、蒸気供給機２から布地用蒸し機１へスチームを送るためのホース３が連結されている。本発明でいうスチームは、飽和水蒸のスチームが理想であるが、必ずしもこの状態にあるものだけを意味するものではない。
【００１６】
蒸し機１は、円筒容器５と、この円筒容器５に取り付けられた蓋板６と、円筒容器５を支えるための脚部７ａ、７ｂを有する台座８とで構成されている。台座８は略円盤状をしており、蒸し機１全体を支えると共に、排水管１４につながるソケット１５が設けられている。
【００１７】
また、脚部７ａ、７ｂは、中央にストッパー凸部１３を設けた横架部１２により互いに結合され、一方の脚部７ａには円筒容器５の略中央部に設けた揺動軸１０ａ，１０ｂを介して円筒容器５を揺動運動させるためのモーター１１が取り付けられている。
【００１８】
円筒容器５の内部は、中空になっており布地４を格納するための密閉蒸気室１６が形成されている。円筒容器５の一端側は開口部が形成され、ヒンジ１７により揺動可能な蓋板６によりこの開口部が開閉される。そしてこの蓋板６は３個のロック用リングボルト１８ａ、１８ｂ、１８ｃにより、蓋板６を閉鎖状態にロックすることができる。蓋板６を開放する際には、３個のロック用リングボルト１８ａ、１８ｂ、１８ｃを外しヒンジ１７を中心に円弧状に開くことができる。
【００１９】
また、円筒容器５の蓋板６と対向する側には、蒸気室１６内に溜まる水や水蒸気を抜くためのバルブ２０を備えた排水管１９が設けられている。更に、円筒容器５には、圧力計２１や温度センサー２２が設けられており、蒸気室１６内部の状況を監視できるようになっている。
【００２０】
モーター１１の駆動軸にはギア２３が設けられ、円筒容器５の揺動軸１０ａに設けたギア２３’と噛合している。したがって、モーター１１の回転動力はギア２３、ギア２３’を介して揺動軸１０ａに伝達される。
【００２１】
これにより、円筒容器５は、モーター１１の動力によって揺動軸１０ａ、１０ｂを中心として円弧状に９０度回転することができ、略垂直状態から略水平状態に、あるいはその逆に略水平状態から略垂直状態にすることができる。そして横架部１２に設けられたストッパー凸部１３は、モーター１１故障時や、手動で円筒容器５を略水平状態にするときの回動位置規制と緩衝機能を有している。
【００２２】
蒸気供給機２から延びたホース３は、円筒容器５に設けた一方の揺動軸１０ｂに接続している、この揺動軸１０ｂは、図２に示すように、中心がスチームを通すための管として構成されており、蒸気供給機２からホース３を通してスチームを円筒容器５に供給することができる。供給するスチームの圧力、温度、時間等は、蒸気供給機２により任意に制御できるので布地４の種類や量により変更することができる。
【００２３】
円筒容器５を略垂直位置にした状態において、排水管１９のバルブ２０を開放すると、蒸気室１６内部からドレン水が流出し、台座８に取り付けたソケット１５を介して排水管１４へ排出される。
【００２４】
図２において、円筒容器５は、円筒体２４、２５で二重になっており、この円筒体２４、２５の間には、スチームを供給するためのパイプ２６が通り、蒸気室１６内に設けられたノズル２７ａ、２７ｂ、２７ｃ、２７ｄがパイプ２６に繋がっている。
【００２５】
蒸気室１６は、芯材９に巻きつけられた布地４を収納できるスペースを有している。芯材９は円筒体で構成され、芯材９の内部より外部へスチームが供給できる複数の小孔２８が形成されている。また、芯材９の両端には、図３に示すように、固定ホイール２９ａ、２９ｂが取り付けられている。
【００２６】
固定ホイール２９ａ、２９ｂは、蒸気室１６内で芯材９をその中心軸の位置に固定するためのものである。その一方の固定ホイール２９ｂは、ノズル２７ｄに連結されている。
【００２７】
蒸気供給機２から供給されたスチームは、円筒容器５と脚部７ｂとの連結部１０ｂを通り、パイプ２６からノズル２７ａ、２７ｂ、２７ｃより噴射され、蒸気室１６内の布地４を外側から蒸すことができる。
【００２８】
一方、パイプ２６からノズル２７ｄより供給されたスチームは、芯材９の内部を通り小孔２８から噴出し、布地４を内側からも蒸すことができるようになっている。また、円筒容器５には、バルブ２０を取り付けた排水管１９が設けられており、バルブ２０を開放すると、蒸気室１６を略垂直状態にしたときに蒸気室１６内に溜まった水を排出することができる。排水管１９から流出した水は、ソケット１５に流れ込み、台座８の排水管１４を通って排出される。
【００２９】
図３に示すように、固定ホイール２９ａ、２９ｂは、円形をしており、その中心が芯材９の両端に連結されるようになっている。
【００３０】
芯材９の両端に固定ホイール２９ａ、２９ｂを取り付けることで、芯材９が蒸気室１６内で定位置に固定されるので布地が蒸気室１６の内壁に触れるのを防ぐことができる。
【００３１】
以下、図４〜図７により本発明の第１実施形態に係る布地用蒸し機の作業工程について説明する。図４の（ａ）は、不織布に布地を重ねた状態の平面図であり、（ｂ）は、布地を巻いた芯材に固定ホイールを取り付けるときの斜視図である、図５は、芯材に布地を巻きつけたときの拡大断面図、図６は、蒸気室に巻いた布地を挿入するときの斜視図、図７は、蒸気室内部での布地を蒸す過程の断面図である。
【００３２】
図４（ａ）において、蒸されるべき布地４の下に不織布３３を敷くと共に、不織布３３の端部近傍上面に芯材９を設置する。不織布３３は、スチームをよく流通させる材質で構成されている。布地４を芯材９に巻きつける際には、不織布３３と共に巻きつけるが、最初に不織布３３の端部を芯材９に巻きつけた後に、両者を共巻きにする。
【００３３】
その後（ｂ）に示すように芯材９の両側に固定ホイール２９ａ、２９ｂを取り付ける。布地４と共に巻きつけるものとして、本実施例では不織布を使用したが、不織布３３に限ることなく、網状のシートやすだれ状のものなど、布地４の表面が互いに触れ合うのを防ぎ、スチームをよく通すものであればいかなるシートであってもよい。
【００３４】
図５に示すように、芯材９の内部は中空であり、その表面には複数の小孔２８が形成されている。巻きつけた不織布３３と不織布３３との間に布地４が挟まれながら巻かれてゆくので、布地４全体に斑なくスチームを付与することができる。
【００３５】
図６に示すように、芯材９に巻き付けた布地４は、円筒容器５を略水平状態にしてスライド移動させながら蒸気室１６内に挿入される。挿入後は蓋板６を閉じて３個のロック用リングボルト１８ａ、１８ｂ、１８ｃを締め付けて密閉する。その後円筒容器５を略垂直状態にして蒸気室１６内部にスチームを流入させる。
【００３６】
図７に示すように、外側側の円筒体２４と内側の円筒体２５の間には、スチームを通すパイプ２６が通っており、パイプ２６から蒸気室１６内にノズル２７ａ、２７ｂが延びている。そしてノズル２７ａ、２７ｂから噴出されたスチームは蒸気室１６内に満たされ外側より布地４の内部に浸透する。また、芯材９の内部から小孔２８を通って外側に向かってスチームが噴出し、内側から布地４に浸透する。これにより、布地４全体に斑なくスチームが浸透し蒸すことができる。
【００３７】
次に、第２実施形態に係る布地用蒸し機につき、図８〜図９を参照して説明する。なお、上記実施形態と同一構成で重複する説明を省略する。
【００３８】
図８に示すのは、第２実施形態に係る円筒状蒸しケース３０であり、この円筒状蒸しケース３０は、一方が開放された円筒体をしておりその表面には円筒体内にスチームが流通できる複数の小孔３２が形成されている。更に開口部を塞ぐことのできる蓋３１が取り付け可能である。
【００３９】
図９（ａ）は、不織布３３に布地４を共巻きにした布地集合体３４である。この布地集合体３４を円筒状蒸しケース３０の中に挿入し、蓋３１で開口端を閉じる。（ｂ）は、巻いた布地を円筒状蒸しケース３０に挿入する直前の斜視図である。布地集合体３４が蒸気室１６の内壁に触れてしまうので、円筒状蒸しケース３０の中に入れ、その開口端を蓋３１で閉じて蒸気室１６内に投入する。これにより、蒸気室１６の内壁に布地集合体３４が直接触れるのを防ぐことができる。
【００４０】
更に詳しくは、図９（ｂ）に示すように、円筒状蒸しケース３０は、円筒容器５を略水平状態にしてスライド移動させながら蒸気室１６内に挿入される。挿入後は蓋板６を閉じて３個のロック用リングボルト１８ａ、１８ｂ、１８ｃを締め付けて密閉する。その後円筒容器５を略垂直状態にして蒸気室１６内部にスチームを流入させる。
【００４１】
本発明の布地にスチームを付与する蒸し機は、例えば染料等で着色した布地の色固定に用いられたり、熱可塑性の形状記憶布のシワ加工、或いは、布に弾力を持たせたり軟らかくして風合いを醸し出すために用いることができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、図３に示す芯材９は、表面に小孔２８があるものに限ったものでなくとも、表面が網目状金属体の円筒体で形成されており、スチームを芯材９内部から外部へよく流通するものならば上記と同様な効果を得ることが可能である。
【００４４】
更に、図８に示す蒸しケース３０も、表面に小孔３２があるものに限ったものでなくとも、表面が網目状金属体の円筒体で形成されており、スチームを蒸しケース３０外部から内部へよく流通するものならば上記と同様な効果を得ることが可能である。
【００４５】
また、図４と図９に示す布地４を巻く際に、不織布３３と共巻きにした方が理想的に蒸すことができるが、不織布３３と共巻きにせずとも布地４のみを巻いて蒸気室１６内に挿入し蒸すことも可能である。
【００４６】
【発明の効果】
本発明は以下の効果を奏する。
【００４７】
（ａ）請求項１に記載の発明によれば、布地を走行させずに芯材に巻き付けた状態で密閉蒸気室内に投入するだけであるから、密閉蒸気室が所定の収納容積を有していれば、例え布地が長状物であっても装置が大型化することなく、布地の全面に亘ってスチームを均一に所要時間付与することができるばかりでなく、蒸し工程の初期の段階から所要の圧力、温度のスチームを供給できる。
【００４８】
（ｂ）請求項２に記載の発明によれば、芯材に巻き付けられた布地が巻き付け中心部より外方に拡散できるので、より均一なスチームを付与することができる。
【００４９】
（ｃ）請求項３に記載の発明によれば、長期使用に耐え、堅牢で製作が容易な円筒体を得ることができる。
【００５０】
（ｄ）請求項４に記載の発明によれば、例え布地が長状物であっても装置が大型化することなく、布地の全面に亘ってスチームを均一に所要時間付与することができるばかりでなく、蒸し工程の初期の段階から所要の圧力、温度のスチームを供給できる。また、巻き付けた布地の外径が大きくなっても、直接密閉蒸気室と接触することがないので，斑のないスチームの付与ができる。
【００５１】
（ｅ）請求項５に記載の発明によれば、布地同士が密着せず、布地間にスチームが侵入しやすいので、全面に亘ってより均一なスチームを付与することができる。
【００５２】
（ｆ）請求構６に記載の発明によれば、布地が天然繊維でも化学繊維でも繊維の種類に応じて最適なスチーム状態を提供できる。
【００５３】
（ｇ）請求構７に記載の発明によれば、スチームを高圧、高温度に設定すれば高濃度のスチームを供給できるので、特に染料等の色固定において色むらが起こらない。
【図面の簡単な説明】
【図１】本発明の実施形態としての布地用蒸し機と該蒸し機に接続されている蒸気供給機の全体像を示す斜視図である。
【図２】円筒容器の部分側断面を含む蒸し機の正面図である。
【図３】芯材を示す斜視図である。
【図４】（ａ）は、不織布に布地を重ねた状態の平面図であり、（ｂ）は、布地を巻いた芯材に固定ホイールを取り付けるときの斜視図である。
【図５】芯材に布地を巻きつけるときの拡大断面図である。
【図６】蒸気室内に芯材に巻いた布地を挿入するときの斜視図である。
【図７】蒸気室内部での布地を蒸す過程の断面図である。
【図８】円筒状蒸しケースを示す斜視図である。
【図９】蒸気室内に円筒状蒸しケースに入れた布地を挿入するときの斜視図である。
【符号の説明】
１　　　　　　　蒸し機
２　　　　　　　蒸気供給機
３　　　　　　　ホース
４　　　　　　　布地
５　　　　　　　円筒容器
６　　　　　　　蓋板
７ａ、７ｂ　　　脚部
８　　　　　　　台座
９　　　　　　　芯材
１０ａ、１０ｂ　連結部
１１　　　　　　モーター
１２　　　　　　横架部
１３　　　　　　ストッパー凸部
１４　　　　　　排水管
１５　　　　　　ソケット
１６　　　　　　蒸気室
１７　　　　　　ヒンジ
１８ａ、１８ｂ　リングボルト
１８ｃ　　　　　リングボルト
１９　　　　　　排水管
２０　　　　　　バルブ
２１　　　　　　圧力計
２２　　　　　　温度センサー
２３、２３’　　ギア
２４　　　　　　円筒体
２５　　　　　　円筒体
２６　　　　　　パイプ
２７ａ、２７ｂ　ノズル
２７ｃ、２７ｄ　ノズル
２８　　　　　　小孔
２９ａ、２９ｂ　固定ホイール
３０　　　　　　蒸しケース
３１　　　　　　蓋
３２　　　　　　小孔
３３　　　　　　不織布
３４　　　　　　布地集合体
【図１】
2004124286.tif 000003
【図２】
2004124286.tif 000004
【図３】
2004124286.tif 000005
【図４】
2004124286.tif 000006
【図５】
2004124286.tif 000007
【図６】
2004124286.tif 000008
【図７】
2004124286.tif 000009
【図８】
2004124286.tif 000010
【図９】
2004124286.tif 000011
【手続補正書】
【提出日】平成15年5月30日(2003.5.30)
【手続補正１】
【補正対象書類名】明細書
【補正対象項目名】特許請求の範囲
【補正方法】変更
【補正の内容】
【特許請求の範囲】
【請求項１】
布地にスチームを付与する蒸し機であって、該蒸し機はスチームが導入される密閉蒸気室を備え、円筒体中心より円筒体外表面にスチームが流通できる複数の小孔が形成されている芯材の外表面に、布地を巻き付けた状態で前記密閉蒸気室に投入し、前記密閉蒸気室及び前記芯材の円筒体中心部にスチームを均一に供給することを特徴とする布地用蒸し機。
【請求項２】
前記芯材の両端にそれぞれ固定ホイールを取り付け、密封蒸気室内に前記芯材を固定する請求項１に記載の布地用蒸し機。
【手続補正２】
【補正対象書類名】明細書
【補正対象項目名】０００６
【補正方法】変更
【補正の内容】
【０００６】
【課題を解決するための手段】
上記課題を解決するために、本発明の布地用蒸し機は、布地にスチームを付与する蒸し機であって、該蒸し機はスチームが導入される密閉蒸気室を備え、円筒体中心より円筒体外表面にスチームが流通できる複数の小孔が形成されている芯材の外表面に、布地を巻き付けた状態で前記密閉蒸気室に投入し、前記密閉蒸気室及び前記芯材の円筒体中心部にスチームを均一に供給することを特徴としている。
この特徴によれば、布地を走行させずに芯材に巻き付けた状態で密閉蒸気室内に投入するだけであるから、密閉蒸気室が所定の収納容積を有していれば、例え布地が長状物であっても装置が大型化することなく、布地の全面に亘ってスチームを均一に所要時間付与することができるばかりでなく、蒸し工程の初期の段階から所要の圧力、温度のスチームを供給できる。


【手続補正３】
【補正対象書類名】明細書
【補正対象項目名】０００７
【補正方法】変更
【補正の内容】
【０００７】
本発明の布地用蒸し機において、芯材の両端にそれぞれ固定ホイールを取り付け、密封蒸気室内に前記芯材を固定することが好ましい。
このようにすれば、芯材が蒸気室内で定位置に固定されるので布地が蒸気室の内壁に触れるのを防ぐことができる。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００４８
【補正方法】変更
【補正の内容】
【００４８】
（ｂ）請求項２に記載の発明によれば、芯材が蒸気室内で定位置に固定されるので布地が蒸気室の内壁に触れるのを防ぐことができる。


【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】
【手続補正１４】
【補正対象書類名】明細書
【補正対象項目名】００５３
【補正方法】削除
【補正の内容】